(57)【要約】【課題】印刷（プリント）すべき画像データの送受信を確実に行うことで迅速で効率的な印刷を行うことができる画像印刷システム、印刷装置、印刷装置の制御方法、画像保管装置、画像保管装置の制御方法を提供する。【解決手段】プリントステータス送信部１１５からプリントステータス受信部１０５に、１ページ毎ではなく１画像毎にプリントステータスを送信する。こうすることで、ディジタルスチルカメラ１０１で、プリンタ１１１が実際にどの画像までプリントが終了したか、どの画像がまだプリントを終了していないかを把握することができる。【選択図】図１
2007311932.tif 000002
【特許請求の範囲】
【請求項１】
画像保管装置と画像印刷装置とが直接通信し、前記画像印刷装置は、前記画像保管装置から画像データを受け取って印刷する画像印刷システムにおいて、
前記画像保管装置は、前記画像印刷装置に印刷指令信号を送信する印刷指令信号送信手段と、前記画像印刷装置に画像データを送信する画像データ送信手段とを備え、
前記画像印刷装置は、前記印刷指令信号送信手段から前記印刷指令信号を受信する印刷指令信号受信手段と、前記画像データ送信手段から画像データを受信する画像データ受信手段と、受信した画像データを印刷する印刷手段と、印刷終了信号を前記画像保管装置に送信する印刷終了信号送信手段とを備え、
前記画像保管装置は、前記印刷終了信号を受信する印刷終了信号受信手段と、前記印刷終了信号を記憶する記憶手段とを備え、
１枚の用紙に複数の画像を配置して印刷する場合に、前記印刷終了信号送信手段は、前記画像保管装置から受信した１つの画像の印刷が終了する毎に、前記印刷終了信号を送信する機能を有することを特徴とする画像印刷システム。
【請求項２】
前記画像保管装置は、前記記憶手段に記憶された前記印刷終了信号に基づいて印刷未終了の画像データを認識し、前記印刷指令信号送信手段より、印刷未終了の画像データについての印刷指令信号を送信することを特徴とする請求項１記載の画像印刷システム。
【請求項３】
前記画像保管装置はディジタルスチルカメラであることを特徴とする請求項１記載の画像印刷システム。
【請求項４】
画像保管装置と直接通信し、前記画像保管装置から画像データを受け取って印刷する印刷装置において、
前記画像保管装置から送信される印刷指令信号を受信する印刷指令信号受信手段と、
前記画像保管装置から送信される画像データを受信する画像データ受信手段と、
受信した画像データを印刷する印刷手段と、
印刷終了信号を前記画像保管装置に送信する印刷終了信号送信手段とを備え、
１枚の用紙に複数の画像を配置して印刷する場合に、前記印刷終了信号送信手段は、前記画像保管装置から受信した１つの画像の印刷が終了する毎に、前記印刷終了信号を送信する機能を有することを特徴とする印刷装置。
【請求項５】
画像保管装置と直接通信し、前記画像保管装置から画像データを受け取って印刷する印刷装置の制御方法において、
前記画像保管装置から送信される印刷指令信号を受信する印刷指令信号受信ステップと、
前記画像保管装置から送信される画像データを受信する画像データ受信ステップと、
受信した画像データを印刷する印刷ステップと、
印刷終了信号を前記画像保管装置に送信する印刷終了信号送信ステップとを備え、
１枚の用紙に複数の画像を配置して印刷する場合に、前記印刷終了信号送信ステップは、前記画像保管装置から受信した１つの画像の印刷が終了する毎に、前記印刷終了信号を送信する機能を有することを特徴とする印刷装置の制御方法。
【請求項６】
印刷装置に直接画像データを送信し、印刷させる画像保管装置において、
前記画像印刷装置に画像データを送信する画像データ送信手段と、
前期印刷装置から、受信された画像データの印刷が終了したことを示す印刷終了信号受信する印刷終了信号受信手段と、
前記印刷終了信号受信手段により受信された印刷終了信号を記憶する記憶手段とを備え、
前記印刷終了信号は、１枚の用紙に複数の画像を配置して印刷する場合に、１つの画像の印刷が終了する毎に、前記印刷装置から送られてくる信号であることを特徴とする画像保管装置。
【請求項７】
印刷装置に直接画像データを送信し、印刷させる画像保管装置の制御方法において、
前記画像印刷装置に画像データを送信する画像データ送信ステップと、
前期印刷装置から、受信された画像データの印刷が終了したことを示す印刷終了信号受信する印刷終了信号受信ステップと、
前記印刷終了信号受信手段により受信された印刷終了信号を記憶する記憶ステップとを備え、
前記印刷終了信号は、１枚の用紙に複数の画像を配置して印刷する場合に、１つの画像の印刷が終了する毎に、前記印刷装置から送られてくる信号であることを特徴とする画像保管装置の制御方法。
【発明の詳細な説明】
【技術分野】
【０００１】
本発明は、例えば、ディジタルスチルカメラ（画像保管装置）により撮影して取得したディジタル画像データをプリンタ（画像印刷装置）で印刷出力する画像印刷システム、印刷装置、印刷装置の制御方法、画像保管装置、画像保管装置の制御方法に関する。
【背景技術】
【０００２】
近年では、例えば、ディジタルスチルカメラの普及により、写真画像のディジタル化が手軽になり、特に、パーソナルコンピュータ（パソコン）上において、写真調の画像をディジタル画像データとして扱う機会が増えてきた。
【０００３】
一方、フルカラーハードコピー技術に関しても急速に発展している。特に、インクジェット方式によるプリント技術は、インクドットによる粒状感を低減させる技術の向上により、そのプリンタによるプリント出力結果の画質が銀塩写真での画質と同等のものとなりつつある。また、インクジェット方式は、比較的簡易なプリント技術であるため、広く普及している。
【０００４】
上述のような技術背景から、ディジタルスチルカメラで撮影して取得したディジタル画像データを手軽にプリンタでプリント出力できることが求められている。また最近では、パソコンを介さずに直接ディジタルスチルカメラをプリンタに接続して、ディジタル画像データを写真調にプリントする必要性も高まっている。
【０００５】
そこで、ディジタルスチルカメラを直接プリンタに接続し、ディジタルスチルカメラで撮影された画像をプリンタでプリント出力するためのカメラダイレクトプリント規格が制定され、その規格を搭載した製品が一般に普及しつつある。カメラダイレクトプリント規格を用いたディジタルスチルカメラとプリンタであれば、メーカを問わず接続することが可能となり、撮影された画像を写真プリントすることができる。
【０００６】
これにより、ディジタルスチルカメラで撮影された複数の画像データをプリンタに直接転送することができ、プリントサイズやレイアウトなどを決め、また、縁なしプリントやインデックスプリントを選択して写真プリントをすることができるようになった。
【０００７】
このディジタルスチルカメラとプリンタ間の、一連のデータの送受信を以下に簡潔に述べる。
【０００８】
ユーザはディジタルスチルカメラのＵＩ（ユーザインターフェイス）上でプリントしたい任意の画像をひとつずつ選択、もしくは全選択を行う。次に、プリントサイズやレイアウトの指定をした後、プリンタにプリントジョブデータを送信する。
【０００９】
プリンタ側では、受信したプリントジョブデータに従い、ディジタルスチルカメラ内に格納されている画像データを参照し、プリント指令が出た画像データをディジタルスチルカメラからプリンタへ１ページ分ずつ送信させる。こうして、プリンタ内にプリントする画像データを取得する。
【００１０】
取得した画像データを順にプリントし、１ページ終了した時点でプリンタからディジタルスチルカメラへ、プリントが終了したことを示すプリントステータスデータを送信する。これを受け、ディジタルスチルカメラは２ページ目の画像データをプリンタへ上記と同様に転送する。
【００１１】
１ページに複数枚の画像をプリントするインデックスプリントなどにおいては、データを送信するディジタルスチルカメラは、プリンタから１ページ毎にプリントステータスデータを取得する。
【００１２】
大まかにはこのような仕組みで、ディジタルスチルカメラはパソコンを介さずにプリンタに直接プリントデータを送信してプリントする。
【００１３】
カメラダイレクトプリント規格に基づいた画像印刷システムに関連して、特許文献１には、任意の位置を指定してラベル印刷を行うことで、ラベル印刷の自由度を広げる技術が開示されている。
【特許文献１】特開平０６−１９９０２０号公報
【発明の開示】
【発明が解決しようとする課題】
【００１４】
ところで、上述したようなデータ送受信の場合、１ページに複数枚の画像をプリントするインデックスプリントなどにおいては、以下のような不具合がある。すなわち、データを送信するディジタルスチルカメラは、プリンタから１ページ毎にプリントステータスデータを取得するため、１ページ中の画像の何枚目までがプリント終了したかを把握できない。そのため、２ページ目以降のプリントを行う際にスムーズに処理できない場合がある。
【００１５】
さらには、プリントの最中に何らかの原因でプリントジョブがキャンセルされる場合がある。例えば、データ転送するディジタルスチルカメラのバッテリーがなくなり、また、ソフトウェアがフリーズしてしまうことで、ディジタルスチルカメラの動作が止まってしまう。また、ディジタルスチルカメラとプリンタの接続が物理的に遮断されてしまうといったことが考えられる。あるいは、ユーザが任意でプリントジョブをキャンセルする場合も考えられる。このような場合、プリントされない画像が発生してしまうことになる。
【００１６】
本発明の目的は、印刷（プリント）すべき画像データの送受信を確実に行うことで迅速で、確実かつ効率的な印刷を行うことができる画像印刷システム、印刷装置、印刷装置の制御方法、画像保管装置、画像保管装置の制御方法を提供することにある。
【課題を解決するための手段】
【００１７】
上記目的を達成するために、請求項１記載の画像印刷システムは、画像保管装置と画像印刷装置とが直接通信し、前記画像印刷装置は、前記画像保管装置から画像データを受け取って印刷する画像印刷システムにおいて、前記画像保管装置は、前記画像印刷装置に印刷指令信号を送信する印刷指令信号送信手段と、前記画像印刷装置に画像データを送信する画像データ送信手段とを備え、前記画像印刷装置は、前記印刷指令信号送信手段から前記印刷指令信号を受信する印刷指令信号受信手段と、前記画像データ送信手段から画像データを受信する画像データ受信手段と、受信した画像データを印刷する印刷手段と、印刷終了信号を前記画像保管装置に送信する印刷終了信号送信手段とを備え、前記画像保管装置は、前記印刷終了信号を受信する印刷終了信号受信手段と、前記印刷終了信号を記憶する記憶手段とを備え、１枚の用紙に複数の画像を配置して印刷する場合に、前記印刷終了信号送信手段は、前記画像保管装置から受信した１つの画像の印刷が終了する毎に、前記印刷終了信号を送信する機能を有することを特徴とする。
【００１８】
請求項４記載の印刷装置は、画像保管装置と直接通信し、前記画像保管装置から画像データを受け取って印刷する印刷装置において、前記画像保管装置から送信される印刷指令信号を受信する印刷指令信号受信手段と、記画像保管装置から送信される画像データを受信する画像データ受信手段と、受信した画像データを印刷する印刷手段と、刷終了信号を前記画像保管装置に送信する印刷終了信号送信手段とを備え、１枚の用紙に複数の画像を配置して印刷する場合に、前記印刷終了信号送信手段は、前記画像保管装置から受信した１つの画像の印刷が終了する毎に、前記印刷終了信号を送信する機能を有することを特徴とする。
【００１９】
請求項５記載の印刷装置の制御方法は、画像保管装置と直接通信し、前記画像保管装置から画像データを受け取って印刷する印刷装置の制御方法において、前記画像保管装置から送信される印刷指令信号を受信する印刷指令信号受信ステップと、記画像保管装置から送信される画像データを受信する画像データ受信ステップと、信した画像データを印刷する印刷ステップと、刷終了信号を前記画像保管装置に送信する印刷終了信号送信ステップとを備え、１枚の用紙に複数の画像を配置して印刷する場合に、前記印刷終了信号送信ステップは、前記画像保管装置から受信した１つの画像の印刷が終了する毎に、前記印刷終了信号を送信する機能を有することを特徴とする。
【００２０】
請求項６記載の画像保管装置は、刷装置に直接画像データを送信し、印刷させる画像保管装置において、記画像印刷装置に画像データを送信する画像データ送信手段と、前期印刷装置から、受信された画像データの印刷が終了したことを示す印刷終了信号受信する印刷終了信号受信手段と、前記印刷終了信号受信手段により受信された印刷終了信号を記憶する記憶手段とを備え、前記印刷終了信号は、１枚の用紙に複数の画像を配置して印刷する場合に、１つの画像の印刷が終了する毎に、前記印刷装置から送られてくる信号であることを特徴とする。
【００２１】
請求項７記載の画像保管装置の制御方法は、刷装置に直接画像データを送信し、印刷させる画像保管装置の制御方法において、記画像印刷装置に画像データを送信する画像データ送信ステップと、前期印刷装置から、受信された画像データの印刷が終了したことを示す印刷終了信号受信する印刷終了信号受信ステップと、前記印刷終了信号受信手段により受信された印刷終了信号を記憶する記憶ステップとを備え、前記印刷終了信号は、１枚の用紙に複数の画像を配置して印刷する場合に、１つの画像の印刷が終了する毎に、前記印刷装置から送られてくる信号であることを特徴とする。
【発明の効果】
【００２２】
本発明の画像印刷装置の印刷終了信号送信手段は、画像保管装置から複数の画像データを受信して印刷を行った場合、１つの画像の印刷が終了した時点で、印刷終了信号を画像保管装置に送信する機能を有する。つまり、本発明の画像印刷システムは、１ページ中の画像の何枚目までを印刷終了しているのか判断することができる。従って、印刷すべき画像データの送受信を確実に行うことで迅速で確実かつ効率的な印刷を行うことができる。
【発明を実施するための最良の形態】
【００２３】
以下、本発明の実施の形態を図面を参照しながら詳細に説明する。
【００２４】
図１は、本発明の実施の形態に係る画像印刷システムの構成を概略的に示す図である。
【００２５】
図１において、画像印刷システム１００は、画像保管装置としてのディジタルスチルカメラ１０１と、画像印刷装置としてのプリンタ１１１とが接続されることで構成される。
【００２６】
本実施の形態の画像印刷システム１００は、特に、ディジタルスチルカメラ１０１で撮影して得られた画像データを、パソコンを介さずにプリンタ１１１でプリント出力するため、ディジタルスチルカメラ１０１とプリンタ１１１の間でデータを送受信する構成になっている。
【００２７】
ディジタルスチルカメラ１０１は、プリントジョブ送信部１０２、画像データ送信部１０３、画像データ格納部１０４、プリントステータス受信部１０５及びＳＲＡＭ１０６を備える。プリンタ１１１は、プリントジョブ受信部１１２、画像データ取得部１１３、プリント部１１４及びプリントステータス送信部１１５を備える。
【００２８】
次に、図１の画像印刷システム１００の処理動作を説明する。
【００２９】
ディジタルスチルカメラ１０１で撮影された画像データは、ＣＦカードやＳＤカードに代表されるＳＲＡＭ１０６に記録保存される。ユーザはディジタルスチルカメラ１０１に備え付けられた液晶表示部などでＳＲＡＭ１０６内の画像を閲覧することができる。
【００３０】
ＳＲＡＭ１０６内のプリントすべき画像を手動もしくは自動で一括選択したら、ディジタルスチルカメラ１０１内のプリントジョブ送信部１０２からプリントジョブ（プリント指令信号）をプリンタ１１１内のプリントジョブ受信部１１２に送信する。ここではプリントする画像の枚数、大きさやレイアウト（テンプレート）を設定する。
【００３１】
プリントジョブ受信部１１２で得られたプリントジョブに基づいて、プリントジョブ受信部１１２からディジタルスチルカメラ１０１内の画像データ送信部１０３へプリントすべき画像を参照する。そして、画像データをディジタルスチルカメラ１０１からプリンタ１１１に転送するよう、指令を施す。
【００３２】
画像データ送信部１０３から送信された画像データは、プリンタ１１１内の画像データ取得部１１３へ送られる。ここではプリントデータを解析し、プリンタ１１１内のプリント部１１４へデータ送信する。そしてプリント部１１４において実際に画像のプリントを行う。
【００３３】
従来、プリント部１１４において１ページのプリントが終了する毎に、プリントステータス送信部１１５からディジタルスチルカメラ１０１内のプリントステータス受信部１０５にプリントが終了したことを示す信号を送信していた。
【００３４】
ここでいう１ページとは、プリント用紙（メディア）１枚分のことであり、例えば、メディア１枚に１つの画像をプリントする場合もあるが、インデックスプリントのように１ページ内に複数の画像をプリントする場合もある。
【００３５】
本実施の形態では、プリントステータス送信部１１５からプリントステータス受信部１０５に、１ページ毎ではなく１画像毎にプリントステータス（プリント終了信号）を送信する。即ち、プリント終了信号（印刷終了信号）は、１枚の用紙に複数の画像を配置して印刷する場合に、１つの画像の印刷が終了する毎に、プリンタ１１１から送られてくる。
【００３６】
こうすることで、ディジタルスチルカメラ１０１で、プリンタ１１１が実際にどの画像までプリントが終了したか、どの画像がまだプリントを終了していないかを把握することができる。そのため、ＳＲＡＭ１０６の処理や画像データ送信部１０３のデータ送信も、迅速にかつ効率的に行うことができる。
【００３７】
最後に、プリントステータス受信部１０５で受信したプリント終了信号を元に、ＳＲＡＭ１０６内の画像データを参照し、最初にプリント指令を受けた画像のうち、プリントが終了した画像に対しては、プリント指令を外していく。又はプリントが終了したことを示すマークを書き換えていく。そして再び、画像データ送信部１０３からまだ画像データ取得部１１３に送信していない画像データを送信することで、プリントを継続する。
【００３８】
ここで、プリントが終了していない画像データを、画像データ送信部１０３から画像データ取得部１１３に送信してプリント再開する際、全画像をレイアウトできなくなる場合が生じる。そのために、プリントしない画像をユーザに選択させるなどの再設定を行うことも考えられる。
【００３９】
また、前述したように、プリントの最中に何らかの原因でプリントジョブがキャンセルされる場合がある。本実施の形態は、どの画像までプリントが終了していたかをディジタルスチルカメラ１０１が把握することができるので、プリントジョブがキャンセルされた後も引き続きプリントが終了していない画像からプリントを再開することができる。以下にその具体的な操作を述べる。
【００４０】
プリントジョブ送信部１０２にて、プリント画像、枚数、大きさ、レイアウトを設定することは上述した。このプリントジョブはプリントジョブ受信部１１２に送信されると同時に、ＳＲＡＭ１０６にも記録される。
【００４１】
上記のように何らかの原因でプリントジョブが途中でキャンセルされた場合、プリントステータス送信部１１５からプリントステータス受信部１０５とＳＲＡＭ１０６にプリント終了信号が送信される。
【００４２】
ここで、プリントステータス受信部１０５から送信されたプリント終了信号より、ＳＲＡＭ１０６内のデータを書き換える。つまり、プリントする大きさ、レイアウトはそのままに、プリントが終了した画像に終了したことを示すヘッダーファイルやその他マークを施す。もしくは、プリントが終了していない画像を残し、終了した画像はＳＲＡＭ１０６から消去していってもよい。こうすることで、ＳＲＡＭ１０６内には、プリントジョブがキャンセルされる前のプリント設定が判別でき、プリント未終了の画像が残ることになる。
【００４３】
ディジタルスチルカメラ１０１のＵＩ上で、「新規プリント」と「続きプリント」の２モードを準備し、「新規プリント」モードが選択された場合は、プリントしたい画像、枚数、大きさ、レイアウトをまた新たに設定し直す。
【００４４】
しかし「続きプリント」モードが選択された場合、ＳＲＡＭ１０６に記録されているデータを呼び出し、前回のプリントの続きを行うことができるようにする。つまり、ユーザは新たにプリント設定をすることは一切なく、前回のプリントの設定を引き継いだ「続きプリント」ができる。
【００４５】
図２は、図１におけるディジタルスチルカメラのＵＩの表示例を示す図である。
【００４６】
図２において、ＵＩ１０７にはインデックス表示がなされ、白抜きでプリント指定画像が表示される。
【００４７】
この場合、図３に示すように、例えば最初にプリントする画像を８枚選択し、１ページ２×４のレイアウトを選択したとする。ところが５枚目のプリント途中でプリントジョブがキャンセルされた場合、４枚目までの画像はプリントが終了し、５枚目の選択画像が未完成となる。
【００４８】
そこでこの後、新しいメディアをプリンタ１１１にセットし、「続きプリント」モードを選択すると、５枚目から８枚目までの選択画像と、２×４のレイアウトの情報をプリントジョブ送信部１０２で新たに作成する。そして、上述と同様、プリントジョブ受信部１１２にデータを送信する。
【００４９】
ここで、プリンタ（インクジェットプリンタ）１１１のプリント方法をさらに具体的に説明する。
【００５０】
図４に示すように、プリンタ１１１でプリントする場合、１ラスタ毎にインクが吐出され、画像を段階的に形成する。例えば４×４のインデックスプリントの場合、１〜４枚目までが同時に１ラスタずつプリントされていき、最後の１ラスタで順に４枚の画像が仕上がる仕組みとなる。つまり、１〜４枚の画像は最後の１ラスタの間にほぼ同時に出来上がることになり、１画像分のプリントが終了するたびにディジタルスチルカメラ１０１に随時プリント終了信号が送信される。
【００５１】
ディジタルスチルカメラ１０１から４×４の１６枚の画像をプリントする際、まず１〜４枚目の画像ラスタデータをディジタルスチルカメラ１０１からプリンタ１１１に送信する。この時点でディジタルスチルカメラ１０１は、プリントするのに１画像列分のメディアを使うことがわかる。
【００５２】
ここで、１〜４枚目のプリント途中でプリントジョブがキャンセルされた場合、ディジタルスチルカメラ１０１は１〜４枚目の画像データをプリンタ１１１に送信したものの、プリンタ１１１から１〜４枚目の画像のプリント終了データを受け取っていないことになる。
【００５３】
すなわち、ディジタルスチルカメラ１０１では、１〜４枚目の画像をプリント中にプリントジョブがキャンセルされたことがわかっている。つまり、次にプリントすべき画像は、引き続き１〜４枚目であることがわかる。そこで、メディアの１画像列分にはプリントせず、２画像列目から１〜４枚目の画像のプリントを行うことになる。
【００５４】
本実施の形態によれば、前述したように、１画像毎にプリント終了信号を送信するため、ディジタルスチルカメラ１０１でどの画像までプリントが終了したかを記録、把握することができる。さらにＳＲＡＭ１０６に記録されたデータを呼び出すことにより、「続きプリント」モードを選択することで、プリントしたい画像やレイアウトを新たに設定する必要なく新しいメディアにプリントすることができる。つまりプリントジョブがキャンセルされる前と同等条件のプリントを再開することができる。
【００５５】
上記の実施の形態では、「続きプリント」の画像データを新しいメディアにプリントしたが、次に、プリントがキャンセルされたメディアの余白に「続きプリント」を行う場合について説明する。
【００５６】
インデックスプリントなどで、１ページ中の途中の画像をプリント中にプリントジョブがキャンセルされた場合、メディアの一部が余白のまま、プリントされずに余ってしまう。また、シールプリントなど、１ページ中に複数の画像をプリントし、画像毎に切り取って使用するメディアの場合、上記同様にプリントジョブが途中でキャンセルされると、その他のシール部分が使用されないままになってしまう。
【００５７】
このことに鑑みて、最初のプリントジョブでキャンセルされたメディアの余白部分に「続きプリント」を行う技術について述べる。
【００５８】
１ページ中に複数枚の画像をプリントし、プリントが１画像毎に終了した時点で、プリントステータス送信部１１５からプリントステータス受信部１０５にプリント終了信号が送られ、ＳＲＡＭ１０６にどの画像までプリント終了したかが記録される。
【００５９】
ここで、プリントジョブが途中でキャンセルされた場合、ユーザはプリント途中のメディアをプリンタ１１１の給紙部に再度セッティングし、上記「続きプリント」モードを選択する。すると、該途中メディアの未プリント部分から、プリントが途中になった画像やプリントをしていない画像をプリントしていく。この様子を図５に示す。
【００６０】
例えば、３×３のレイアウトに７枚の画像をプリントする場合を考える。最初のプリントで４枚目まで終了し、５枚目の途中でディジタルスチルカメラ１０１とプリンタ１１１のケーブルが抜けたことによってプリントジョブがキャンセルされたとする。
【００６１】
このとき、ディジタルスチルカメラ１０１内のＳＲＡＭ１０６には、３×３のレイアウト情報と、４枚目の画像までプリントが終了し、５枚目以降の画像がプリント終了していないという情報とが格納されている。
【００６２】
次に、ユーザがディジタルスチルカメラ１０１の液晶部分などで表示されるＵＩ画面上で「続きプリント」モードを選択した場合、図５に示すように、プリントが未完成の“５”の箇所を除く“６”の箇所より、５枚目以降の画像を追加プリントする。
【００６３】
こうすることで、従来ならば、プリントジョブがキャンセルされた場合、メディアの余白部分は無駄になるところを、本実施の形態ではユーザが再び煩雑な設定をすることなく追加プリントすることができる。
【００６４】
また、図６に示すように、最初に９枚の画像をプリントする予定が、５枚目プリント途中でキャンセルされた場合を考える。このメディアにおいては、余白部分は４カ所しかないことになる。つまり、そこに残り５つの画像をプリントすることはできない。
【００６５】
その場合、ディジタルスチルカメラ１０１のＵＩ１０７上で２枚目のメディアにプリントするか、残り５つの画像のうち１つを消去するかを選択させるモードを一つ設ければよい。このことにより、ユーザに選択させて１枚のメディアに納めるか、全ての画像をプリントするかを決定することができる。
【００６６】
ところで、プリントジョブが途中でキャンセルされた後、「続きプリント」を選択するまでの間に、ディジタルスチルカメラ１０１内のＣＦカードやＳＤカードなどのＳＲＡＭ１０６が取り外され、別のＳＲＡＭ１０６に交換されてしまう可能性もある。この場合、ＳＲＡＭ１０６内に記録されていたデータは「続きプリント」には呼び出すことができなくなる。
【００６７】
一方で、ディジタルスチルカメラ１０１とプリンタ１１１のケーブルが取り外され、その後に別のプリンタに接続されてしまうこともある。この場合、プリンタ固有のレイアウトは使用できなくなり、「続きプリント」が不可能となる。
【００６８】
本実施の形態において、ディジタルスチルカメラ１０１に内蔵された記録媒体に、ＳＲＡＭ１０６の型や接続プリンタ１１１の機種を保存しておく。プリントジョブが途中でキャンセルされた後に「続きプリント」モードが選択された場合、ディジタルスチルカメラ１０１内蔵の記録媒体を参照する。
【００６９】
そして、プリントがキャンセルされる前のＳＲＡＭ１０６やプリンタ１１１でなかったら、ディジタルスチルカメラ１０１のＵＩ１０７に「続きプリント」ができないことを示すエラーメッセージを表示してもよい。
【００７０】
本実施の形態によれば、ディジタルスチルカメラ１０１とプリンタ１１１を、パソコンを介さずに接続して写真プリントを行う際に、次にプリントすべき画像データの送受信を迅速に行うことができる。また、プリント中にプリントジョブがキャンセルされた場合、ディジタルスチルカメラ１０１内のＳＲＡＭ１０６を参照することにより、プリントする画像、レイアウトを呼び出して、先の設定を継続して新しいメディアに「続きプリント」を行うことができる。
【００７１】
また、プリントが途中のメディアに対して続きプリントを行う際、プリント再開後の最初の画像を元の箇所よりずらして残りの画像をプリントすることにより、メディアの余白部分を無駄なく使用することができる。また、プリントする複数の画像がメディアの余白部分に収まりきらない場合、ユーザがプリントする画像のいくつかを設定解除することができる。
【００７２】
さらには、ディジタルスチルカメラ１０１のＳＲＡＭ１０６が取り外されたり、別のプリンタと接続された場合、ディジタルスチルカメラ１０１に内蔵の記録媒体を参照して、続きプリントができない場合はエラーメッセージを表示することができる。
【図面の簡単な説明】
【００７３】
【図１】本発明の実施の形態に係る画像印刷システムの構成を概略的に示す図である。
【図２】図１におけるディジタルスチルカメラのＵＩの表示例を示す図である。
【図３】図１の画像印刷システムにおける「続きプリント」モードを説明する図である。
【図４】図１の画像印刷システムにおいて、１画像列に対して１ラスタ分のプリントを行った場合を説明する図である。
【図５】図１の画像印刷システムにおいて、レイアウトより画像数が少ない場合の、続きプリントをメディアの途中から行う場合のレイアウトを示す図である。
【図６】図１の画像印刷システムにおいて、レイアウトより画像数が多い場合の、続きプリントをメディアの途中から行う場合のレイアウトを示す図である。
【符号の説明】
【００７４】
１０１  ディジタルスチルカメラ（画像保管装置）
１０２  プリントジョブ送信部（印刷指令信号送信手段）
１０３  画像データ送信部（画像データ送信手段）
１０５  プリントステータス受信部（印刷終了信号受信手段）
１０６  ＳＲＡＭ（記憶手段）
１１１  プリンタ（画像印刷手段）
１１２  プリントジョブ受信部（印刷指令信号受信手段）
１１３  画像データ取得部（画像データ受信手段）
１１４  プリント部（印刷手段）
１１５  プリントステータス送信部（印刷終了信号送信手段）
【図１】
2007311932.tif 000003
【図２】
2007311932.tif 000004
【図３】
2007311932.tif 000005
【図４】
2007311932.tif 000006
【図５】
2007311932.tif 000007
【図６】
2007311932.tif 000008